(57)【要約】【課題】配送者が、運送会社の提供するサービスにおける顧客からの指示情報を正確に効率的に確認できる配送伝票を提供する。【解決手段】裏面に粘着剤層が設けられ、前記粘着剤層に剥離紙が剥離可能に貼付された封筒下紙と、前記封筒下紙の上方に重ねられた封筒上紙と、が三周縁部分で接着されて一辺開口型の封筒部が形成され、封筒下紙と封筒上紙の間に封筒部から抜き取り可能な状態で複数の抜き取り用紙が設けられ、前記複数の抜き取り用紙のうち、少なくとも１枚が封筒上紙の上面に貼付するための貼付用の抜き取り用紙であり、封筒上紙と貼付用の抜き取り用紙には、顧客に提供するサービスに基づいて顧客が選択することができる選択情報がそれぞれ表示され、封筒下紙には、該封筒下紙の少なくとも２箇所の所定領域を囲む状態で切り込みが形成されている。【選択図】        図１
2011255607.tif 000002
【特許請求の範囲】
【請求項１】
裏面に粘着剤層が設けられ、前記粘着剤層に剥離紙が剥離可能に貼付された封筒下紙と、前記封筒下紙の上方に重ねられた封筒上紙と、が三周縁部分で接着されて一辺開口型の封筒部が形成され、前記封筒下紙と前記封筒上紙の間に前記封筒部から抜き取り可能な状態で複数の抜き取り用紙が設けられている配送伝票であって、
前記複数の抜き取り用紙のうち、少なくとも１枚が前記封筒上紙の上面に貼付するための貼付用の抜き取り用紙であり、
前記封筒上紙と前記貼付用の抜き取り用紙には、顧客に提供するサービスに基づいて顧客が選択することができる選択情報がそれぞれ表示され、
前記封筒下紙には、該封筒下紙の少なくとも２箇所の所定領域を囲む状態で切り込みが形成されていることを特徴とする配送伝票。
【請求項２】
前記顧客に提供するサービスが、前記配送伝票を貼付して配送する配送物の配送時間帯を顧客が選択できる配送時間帯選択サービスであり、前記選択情報が配送時間帯を示す情報であることを特徴とする請求項１記載の配送伝票。
【請求項３】
前記封筒上紙と前記貼付用の抜き取り用紙には、前記配送伝票を貼付して配送する配送物の配送時間帯に応じて使い分ける識別情報に応じた異なる色がそれぞれ表示されていることを特徴とする請求項２記載の配送伝票。
【発明の詳細な説明】
【技術分野】
【０００１】
本発明は、運送業者などが宅配荷物や配送商品を配送する際に、それらの配送物に貼付して使用する配送伝票に関する。
【背景技術】
【０００２】
従来、宅配荷物や配送商品を運送業者が配送する際には、それらの配送物に配送伝票を貼付するなどして処理しており、それらの配送伝票として種々の構成のものが知られている。（例えば、特許文献１〜５、参照）
近年、インターネットなどの通信技術の発展も影響して、特にネット上で商品の購入を行い、それらの購入商品を、自宅などに配送するいわゆる宅配便を使用して届けるサービルを提供する通信販売の利用が増えていることなどから、宅配便を運営する運送会社が取り扱う配送物も多くなっている。
【先行技術文献】
【特許文献】
【０００３】
【特許文献１】特開２００１−３５３９８６号公報
【特許文献２】特開２００２−１２７６４４号公報
【特許文献３】特開２００２−１４４７６７号公報
【特許文献４】特開２００８−１２６９２号公報
【特許文献５】特開平７−３１４９４３号公報
【０００４】
また、このような宅配便市場が拡大している反面、宅配便を運営する運送会社同士の生き残り競争も厳しくなっていることから、顧客のニーズに応じた様々なサービスを提供することが運送会社にとって必要になっている。
そのサービスの１つとして、例えば顧客の指定する時間帯に応じて配送する配送時間帯別サービスがある。
この配送時間帯別サービスでは、配送指定日のお届け時間帯として、運送会社が予め設定した時間帯のうちから顧客が希望する時間帯に配送するようにしたものである。
【０００５】
このような配送時間帯別サービスを提供するために、従来の配送伝票では、例えば、裏面に粘着剤層が設けられ、前記粘着剤層に剥離紙が剥離可能に貼付された封筒下紙と、前記封筒下紙の上方に重ねられた封筒上紙と、が三周縁部分で接着されて一辺開口型の封筒部が形成され、前記封筒下紙と前記封筒上紙の間に前記封筒部から抜き取り可能な状態で抜き取り用伝票が設けられている仕様の配送伝票が使用され、その封筒上紙に配送時間帯別サービスに関する表示を設けて、配送物の取り扱い担当者などが、顧客の要求する時間帯を記入、または予め表示されている配送時間帯を示す識別表示に丸印などの印を記入などすることで運用している。
【０００６】
しかしながら、運送会社できめ細かな種々のサービスを展開することは、実際に配送を担当する配送者にとって覚えておかなければならない処理手順も増えることになり、また経験の浅い配送者もいることなどもあり、配送伝票上の指示記載を見落としてうっかり決められた配送時間帯以外の時間帯に配送してしまうというミスが生じる危険性があるという問題がある。
また、配送時間帯別サービスに限定されるだけでなく、実際に配送を担当する配送者が配送物毎に指定されたサービスを提供する場合でも、従来の配送伝票では配送物に貼付する配送伝票の最上位の伝票が決まっていることから、種々のサービスを運送会社が提供する上で指示情報の確認が行いにくいという問題がある。
【発明の概要】
【発明が解決しようとする課題】
【０００７】
そこで、本発明は、実際に配送を担当する配送者が配送物毎に指定されたサービスを提供する場合でも、運送会社が提供する種々のサービスにおける顧客からの指示情報を簡単に効率的に表示させることができる配送伝票を提供する。
また、特に、運送会社が提供する配送時間帯別サービスなどのサービスを運用する際でも、配送物に貼付された配送伝票から短時間で効率的に顧客の要求する時間帯などの指示情報を確認することができる配送伝票を提供する。
【課題を解決するための手段】
【０００８】
本発明の配送伝票は、裏面に粘着剤層が設けられ、前記粘着剤層に剥離紙が剥離可能に貼付された封筒下紙と、前記封筒下紙の上方に重ねられた封筒上紙と、が三周縁部分で接着されて一辺開口型の封筒部が形成され、前記封筒下紙と前記封筒上紙の間に前記封筒部から抜き取り可能な状態で複数の抜き取り用紙が設けられている配送伝票であって、前記複数の抜き取り用紙のうち、少なくとも１枚が前記封筒上紙の上面に貼付するための貼付用の抜き取り用紙であり、前記封筒上紙と前記貼付用の抜き取り用紙には、顧客に提供するサービスに基づいて顧客が選択することができる選択情報がそれぞれ表示され、前記封筒下紙には、該封筒下紙の少なくとも２箇所の所定領域を囲む状態で切り込みが形成されていることを特徴とする。
【０００９】
また、本発明の配送伝票は、前記顧客に提供するサービスが、前記配送伝票を貼付して配送する配送物の配送時間帯を顧客が選択できる配送時間帯選択サービスであり、前記選択情報が配送時間帯を示す情報であることを特徴とする。
【００１０】
更に、本発明の配送伝票は、前記封筒上紙と前記貼付用の抜き取り用紙には、前記配送伝票を貼付して配送する配送物の配送時間帯に応じて使い分ける識別情報に応じた異なる色がそれぞれ表示されていることを特徴とする。
【発明の効果】
【００１１】
したがって、本発明の配送伝票は、封筒下紙と封筒上紙の間に封筒部から抜き取り可能な状態で抜き取り用伝票が設けられた伝票構成において、運送会社が提供する種々のサービスを顧客に提供する場合でも、顧客が選択したサービスに応じて、必要な場合には前記貼付用の抜き取り用伝票を抜き取って、封筒上紙の上側に貼付させるだけで簡単に効率的に配送担当者への指示情報を外部から目視できる状態にすることができるという効果がある。
【００１２】
また、本発明の配送伝票は、顧客に提供するサービスが配送物の配送時間帯を顧客が選択できる配送時間帯選択サービスであり、選択情報が配送時間帯を示す情報であることで、運送会社が提供する配送時間帯別サービスなどのサービスを運用する際でも、配送担当者が、配送物に貼付された配送伝票から短時間で効率的に顧客の要求する時間帯などの指示情報を確認することができるという効果がある。
【００１３】
更に、本発明の配送伝票は、前記封筒上紙と前記貼付用の抜き取り用伝票には、前記配送伝票を貼付して配送する配送物の配送時間帯に応じて使い分ける識別情報に応じた異なる色がそれぞれ表示されているので、配送担当者が、配送物に貼付された配送伝票の色から短時間で効率的に顧客の要求する時間帯などの指示情報を確認することができるという効果がある。
【図面の簡単な説明】
【００１４】
【図１】本発明の実施形態に係る配送伝票の斜視図である。
【図２】図１のＡ−Ａ線断面図である。
【図３】図１のＢ−Ｂ線断面図である。
【図４】本発明の実施形態に係る配送伝票であって、最上位の控え用伝票の一部をめくり上げた状態を示す斜視図である。
【図５】本発明の実施形態に係る配送伝票であって、各配送伝票を分離させた状態を示す斜視図である。
【図６】本発明の実施形態に係る配送伝票であって、最上位の控え用伝票を分離させた状態を示す斜視図である。
【図７】本発明の実施形態に係る配送伝票であって、封筒上紙を切り取りミシンから切り取り、更に、貼付用の抜き取り用紙を切り取りミシンから切り取り、また、剥離紙を剥離させた状態を示す断面図である。
【図８】本発明の実施形態に係る配送伝票の剥離紙から、貼付用紙片を剥離させた状態を示す斜視図である。
【図９】本発明の実施形態に係る配送伝票を配送物に貼付させ、封筒上紙の上側に貼付用の抜き取り用紙を貼り付けた状態を示す斜視図である。
【発明を実施するための形態】
【００１５】
以下、本発明の実施形態に係る配送伝票を図面に基づいて詳細に説明する。
本発明の実施形態に係る配送伝票１は、図１乃至図３に示すように、上側から順番に、控え用伝票２と、封筒上紙３と、抜き取り用紙４ａ，４ｂと、封筒下紙５とが重ねられた構成を有しており、これらの用紙は複写用紙となっていて控え用伝票２に記入された事項が各用紙に複写されるようになっている。
また、封筒下紙５の裏面には、粘着剤層６が設けられ、更にその粘着剤層６には剥離紙７が剥離可能に貼付されている。
そして、剥離紙７を剥離することで、配送伝票１を粘着剤層６により配送物に貼付できるように構成されている。
控え用伝票２は、封筒上紙３の左側端辺に沿って塗布された接着剤８により封筒上紙３と接着され、またその接着剤８と接着されている部分の右側に沿って切り取りミシン目９が形成され、その切り取りミシン目９により控え用伝票２が切り取り可能に設けられている。
これにより、図４に示すように、控え用伝票２は、必要に応じて控え用伝票２をめくり上げて切り取りミシン目９から切り離して使用される。
【００１６】
次に、封筒上紙３と、抜き取り用紙４ａ，４ｂと、封筒下紙５との構成について説明する。
図５に示すように、配送伝票１の長辺方向を横方向とし、また短辺方向を縦方向とした場合に、抜き取り用紙４ａ，４ｂは、封筒上紙３ａ及び封筒下紙５に比べて縦方向の寸法が狭い寸法で形成されている。
そして、抜き取り用紙４ａ，４ｂは、封筒上紙３と封筒下紙５との間に挟まれて設けられた際に、封筒下紙５の横方向の上下端辺部分の領域に、封筒下紙５と封筒上紙３の一部分が直接接触して重なっている。
【００１７】
また、封筒下紙５の上面には、右側の端辺側を除く他の３周縁側に逆コ字状に接着剤１０が塗布されている。
この接着剤１０が塗布されている部分のうち、封筒下紙５の横方向の上下端辺側領域の接着剤１０が塗布された部分は、封筒上紙３及び封筒下紙５に対して抜き取り用紙４ａ，４ｂが重ならない状態となっており、封筒上紙３と封筒下紙５とが一部分で重なり合って接着剤１０により接着状態となっている。
これらの構成により、封筒下紙５と、前記封筒下紙５の上方に重ねられた封筒上紙３と、が逆コ字状に三周縁部分で接着されて一辺開口型の封筒部が形成され、前記封筒下紙５と前記封筒上紙３の間にその封筒部から抜き取り可能な状態で抜き取り用紙４ａ，４ｂが設けられている。
【００１８】
また、複数の抜き取り用紙４ａ，４ｂのうち、少なくとも１枚が封筒上紙３の上面に貼付するための貼付用の抜き取り用紙４ａとなっている。
封筒上紙３と貼付用の抜き取り用紙４ａには、顧客に提供するサービスに基づいて顧客が選択することができる選択情報がそれぞれの用紙に表示されている。
【００１９】
また、封筒上紙３と貼付用の抜き取り用伝票４ａには、配送物の配送依頼を請け負う運送会社が顧客に提供するサービスに基づいて、顧客が選択することができる選択情報がそれぞれ表示されている。
これらのサービスは様々なサービスがあるが、例えば、顧客に提供するサービスとして、配送伝票１を貼付して配送する配送物の配送時間帯を顧客が選択できる配送時間帯選択サービスがある。
【００２０】
この配送時間帯選択サービスを配送伝票１に適応する場合には、選択情報が配送時間帯を示す情報であり、配送伝票１を貼付して配送する配送物の配送時間帯に応じて使い分ける識別表示として、例えば図５に示すように、封筒上紙３の表面に「午前」の文字を楕円で囲む識別表示１７を設け、また貼付用の抜き取り用伝票４ａの表面に「午後」の文字を四角で囲む識別表示１８を設けることで、顧客が午前中に配送することを希望する場合には、「午前」の文字が表示された封筒上紙３が伝票の最上位にくる状態で配送伝票１を配送物に貼付し、また、顧客が午後に配送することを希望する場合には、「午後」の文字が表示された貼付用の抜き取り用伝票４ａが伝票の最上位にくる状態で配送伝票１を配送物に貼付することで、配送物を配送する担当者が一目で簡単に配送時間帯を識別し確認できるようにしてある。
尚、この識別表示は、上記に限定されるものではなく、識別しやすい様々な表示を行なえばよい。
【００２１】
また、更に、封筒上紙３と貼付用の抜き取り用紙４ａには、配送伝票１を貼付して配送する配送物の配送時間帯に応じて使い分ける識別情報に応じた異なる色がそれぞれ表示されている。
これは、依頼者が指定する配送の時間帯の識別を、印刷インキの色の違いにより行うものである。
例えば、封筒上紙３と貼付用の抜き取り用紙４ａ毎に色の異なるインキで記入欄などを印刷、また、例えば図５に示すように、封筒上紙３の表面に表示した「午前」の文字を楕円で囲む識別表示１７と、また貼付用の抜き取り用紙４ａの表面に表示した「午後」の文字を四角で囲む識別表示１８と、を異なる色のインキで印刷しておくことで、より簡単に依頼者が指定する配送の時間帯の識別を行うことができるようにしたものである。
【００２２】
また、控え用伝票２と、封筒上紙３と、抜き取り用伝票４ａ，４ｂとには、左側に設けられた接着剤８，１２，１３に沿って切り取りミシン目１６，１４，１５が形成されている。
これらの切り取りミシン目により、必要に応じて各伝票を切り取ることができるように構成されている。
【００２３】
また、本発明の配送伝票１では、封筒下紙の少なくとも２箇所以上の所定領域を貼付用紙片１９ａ，１９ｂ，１９ｃとして用いるために、それらの所定領域を囲む状態で切り込み２０ａ，２０ｂ，２０ｃが形成されている。
本実施形態では、封筒下紙５の３箇所の所定領域を貼付用紙片１９ａ，１９ｂ，１９ｃとした状態が示されているが、貼付用紙片は、２箇所以上であれば必要に応じて所望の数だけ設ければよい。
【００２４】
次に、図に基づいて、本発明の配送伝票１の使用方法を説明する。
配送伝票１は、配送物に貼付させて使用するものであるが、配送物の依頼者は、配送依頼を行う際に、配送伝票１の控え用伝票２の表面に配送先の住所や氏名などの配送先情報や依頼者情報などを記入する。
そして、控え用伝票２を依頼者に控えとして渡す。
この際に、配送時間帯選択サービスとして、依頼者が配送時間帯を選択するのであるが、ここで依頼者が配送時間として午前中を希望する場合には、そのままの状態で剥離紙７を剥離させて、配送伝票１を粘着剤層６により配送物２１に貼付する。
【００２５】
また、依頼者が配送時間として午後を希望する場合には、図７に示すように、貼付用の抜き取り用紙４ａを切り取りミシン目１５から切り取る。
そして、図９に示すように、貼付用の抜き取り用紙４ａを封筒上紙３の上面に重ねた状態とする。
また、図７に示すように、剥離紙７を封筒下紙５から剥離した際に、封筒下紙５の切り込み２０ａ，２０ｂ，２０ｃが形成された領域内の部分である貼付用紙片１９ａ，１９ｂ，１９ｃが剥離紙７の上面に貼付された状態のまま剥離させるので、これらの貼付用紙片１９ａ，１９ｂ，１９ｃを剥離紙７から剥離させて、封筒上紙３の上面に重ねられた貼付用の抜き取り用紙４ａの上下側の端縁部分と封筒上紙３とを跨る状態として貼り付ける。
【００２６】
これにより、配送物２１に貼付された配送伝票の最上位には、貼付用の抜き取り用紙４ａが貼り付いた状態にすることができる。
これにより、封筒上紙３の上面に貼付用の抜き取り用紙４ａを貼付させることで、その配送物が午後に配送させる時間帯の指定であることを配送担当者がわかる状態となる。
【００２７】
また、本発明の配送伝票１は、必要に応じて、控え用伝票２や抜き取り用伝票の枚数を増やした構成とすることができる。
上記のように、本発明の配送伝票１は、運送会社が顧客に提供する配送時間帯別サービスなどのサービスにおいて、顧客からの要望に応じて配送物に貼付されている最上部の伝票を簡単に変えることができるので、配送担当者が顧客からの指示情報を正確に効率的に確認することができる。
また、本発明の配送伝票１は、配送時間帯別サービスに限定されるものではなく、その他の様々なサービスに適応できるもので、そのサービスに応じて封筒上紙３や貼付用の抜き取り用紙４ａに表示する識別情報を変えればよい。
【符号の説明】
【００２８】
１  配送伝票
２  控え用伝票
３  封筒上紙
４ａ，４ｂ  抜き取り用伝票
５  封筒下紙
６  粘着剤
７  剥離紙
８，１２，１３，１０  接着剤
９，１４，１５，１６  切り取りミシン目
１７，１８  識別表示
１９ａ，１９ｂ，１９ｃ  貼付用紙片
２０ａ，２０ｂ，２０ｃ  切り込み
【図１】
2011255607.tif 000003
【図２】
2011255607.tif 000004
【図３】
2011255607.tif 000005
【図４】
2011255607.tif 000006
【図５】
2011255607.tif 000007
【図６】
2011255607.tif 000008
【図７】
2011255607.tif 000009
【図８】
2011255607.tif 000010
【図９】
2011255607.tif 000011